(57)【要約】      （修正有）【課題】身体を何ら締め付けることなく、両手が自由な状態で、傘自体を身体に安定的にしっかりと固定でき、シンプルな構造であって耐久性に優れ、しかも着脱が容易な固定部付き傘を提供する。【解決手段】連結部材３が、中棒１が挿入された中棒固定部と、首掛け部材２の端部が挿入されると共に中棒固定部に圧接される首掛け部材固定部と、中棒固定部、中棒１、首掛け部材固定部および首掛け部材２端部を貫通するボルトと、ボルトに螺合させることにより中棒固定部に首掛け部材固定部を圧接させるためのノブナットとを備える。連結部材３が中棒１の下ハジキ１４よりも下部に固定されており、胴ベルト４が中棒１の下端部に形成されたスリット状の貫通穴に挿通されて取り付けられ、首掛け部材２および中棒１が長さ調節可能な伸縮機構を有する。【選択図】図７
0003188314.tif 000002
【実用新案登録請求の範囲】
【請求項１】
中棒を有する傘本体と、前記中棒に連結されたＪ字状またはＵ字状の首掛け部材と、前記首掛け部材を前記中棒に回転可能に連結固定する連結部材と、前記中棒に取り付けられた胴ベルトとを備えた固定部付き傘であって、前記連結部材が、中棒が挿入された中棒固定部と、前記首掛け部材の端部が挿入されると共に前記中棒固定部に圧接される首掛け部材固定部と、前記中棒固定部、中棒、首掛け部材固定部および首掛け部材端部を貫通するボルトと、前記ボルトに螺合させることにより前記中棒固定部に前記首掛け部材固定部を圧接させるためのノブナットとを備え、前記連結部材が前記中棒の下ハジキよりも下部に固定されており、前記胴ベルトが前記中棒の下端部に形成されたスリット状の貫通穴に挿通されて取り付けられ、前記首掛け部材および中棒が長さ調節可能な伸縮機構を有することを特徴とする固定部付き傘。
【考案の詳細な説明】
【技術分野】
【０００１】
本考案は固定部付き傘に関し、詳しくは、傘それ自体を手に持つことなく身体に固定でき、両手が自由な状態で、歩行や作業ができる固定部付き傘に関する。
【背景技術】
【０００２】
従来より、傘それ自体を手に持つことなく身体に固定できる傘としては、例えば、中棒を有する傘本体と、この傘本体の中棒の下端部に高さ調節機構を介して着脱可能に取り付けられた、人の下腹部位に固定状態となるように取り付けることができる板状の支持具とで構成された傘が提案されている（例えば、特許文献１）。
【０００３】
しかしながら、特許文献１に記載の傘は、支持具により腰部で中棒の末端のみを固定する構成のため傘の固定が不充分で、傘を身体にしっかりと固定することができないという課題がある。
【先行技術文献】
【特許文献】
【０００４】
【特許文献１】特開２００５−２２４３６２号公報
【考案の概要】
【考案が解決しようとする課題】
【０００５】
本考案は、身体を何ら締め付けることなく、両手が自由な状態で、傘自体を身体に安定的にしっかりと固定でき、シンプルな構造であって耐久性に優れ、しかも着脱が容易な固定部付き傘を提供することを目的とする。
【課題を解決するための手段】
【０００６】
本考案の固定部付き傘は、中棒を有する傘本体と、前記中棒に連結されたＪ字状またはＵ字状の首掛け部材と、前記首掛け部材を前記中棒に回転可能に連結固定する連結部材と、前記中棒に取り付けられた胴ベルトとを備えた固定部付き傘であって、前記連結部材が、中棒が挿入された中棒固定部と、前記首掛け部材の端部が挿入されると共に前記中棒固定部に圧接される首掛け部材固定部と、前記中棒固定部、中棒、首掛け部材固定部および首掛け部材端部を貫通するボルトと、前記ボルトに螺合させることにより前記中棒固定部に前記首掛け部材固定部を圧接させるためのノブナットとを備え、前記連結部材が前記中棒の下ハジキよりも下部に固定されており、前記胴ベルトが前記中棒の下端部に形成されたスリット状の貫通穴に挿通されて取り付けられ、前記首掛け部材および中棒が長さ調節可能な伸縮機構を有することを特徴とする。
【考案の効果】
【０００７】
以上説明したように、本考案によれば、身体を何ら締め付けることなく、両手が自由な状態で、傘自体を身体に安定的にしっかりと固定でき、シンプルな構造であって耐久性に優れ、しかも着脱が容易な固定部付き傘を提供することができる。
【図面の簡単な説明】
【０００８】
【図１】本考案に係る固定部付き傘の一例を示す斜視図である。
【図２】図１の首掛け部材および中棒が、長さ調節可能な伸縮機構を有する場合の長さ調節の状態を示す斜視図である。
【図３】図１の連結部材周辺を拡大して示す斜視図である。
【図４】図３の連結部材周辺を反対側から見た斜視図である。
【図５】図４の連結部材周辺を、一部を切り欠き、一部を透視して示す側面図である。
【図６】図１の胴ベルトの取り付け部分およびベルトのバックル部分を拡大して示す斜視図である。
【図７】図１の傘を装着して傘を身体に固定している使用状態を示す状態図である。
【図８】図１の傘の首掛け部材を中棒と平行な位置に、下向きに固定して、首掛け部材を傘の手元として用いる場合の状態を示す斜視図である。
【図９】図８の傘の首掛け部材を傘の手元として用いる場合において、傘を閉じた状態を示す斜視図である。
【考案を実施するための形態】
【０００９】
以下、本考案の実施形態を図面に基づいて詳細に説明する。なお、本考案は、以下の実施形態に限定されるものではない。
【００１０】
本考案に係る固定部付き傘の実施形態について、図１〜図９を参照して説明する。
【００１１】
固定部付き傘（以下、単に「傘」と称することもある。）は、図１に示すように、中棒１を有する傘本体１１と、傘の中棒１に連結されたＪ字状の首掛け部材２と、首掛け部材２と中棒１とを回転可能に連結すると共に首掛け部材２を中棒１に対して所望の回転角度位置で固定する連結部材３と、中棒１に取り付けられた胴ベルト４とを備える。また、衣服や身体を傷つけるのを防止するために、首掛け部材２の末端部には保護キャップ８が、中棒1の末端部には保護キャップ９が、それぞれ設けられている。胴ベルト４は、中棒１の下端部に形成されたスリット状の貫通穴５に、挿通されて取り付けられている。また、胴ベルト４には、雄側雌側一対のバックル６および７が設けられている。
【００１２】
傘本体１１としては、傘の手元が無いこと以外は、通常の布傘、ビニール傘等を採用することができる。傘本体１１は、例えば、石突１２と、傘布１３と、この傘布１３を取り付けた複数本の親骨（図示せず）と、親骨が開閉可能に枢支された上ロクロ（図示せず）と、この上ロクロが取り付けられた中棒１と、この中棒１に上下方向にスライド可能に取り付けられた下ロクロ（図示せず）と、この下ロクロおよび親骨にそれぞれ枢支された受骨（図示せず）と、中棒１の上下部に取り付けられた上ハジキ（図示せず）および下ハジキ１４とを備えている。この傘本体１１には、手元を取り付けることも可能である。なお、傘の手元は、ハンドル、把手、持ち手、柄等と称することもある。
【００１３】
中棒１は、連結部材３を貫通しており、円柱状若しくは棒状または円筒状若しくはパイプ状であるのが好ましい。また、中棒１の連結部材３より下の部分の長さは、２０〜４５ｃｍ程度の長さであるのが好ましく、用いる人の身長や体格に合わせて、適宜決定することができる。Ｊ字状の首掛け部材２および中棒１は、首掛け部材２の下端部と中棒１の下ハジキ１４の下部とにおいて、首掛け部材２が中棒１に対して回転可能なように、連結部材３によって連結されている。首掛け部材２は、３５〜６０ｃｍの長さの円柱状若しくは棒状または円筒状若しくはパイプ状であるのが好ましいが、長さは、用いる人の身長や体格に合わせて、適宜決定することができる。中棒１および首掛け部材２の太さは、通常、７〜１５ｍｍである。また、中棒１および首掛け部材２のいずれか一方または両者をパイプ材で形成して円筒状若しくはパイプ状にすることが、強度向上、加工性向上、軽量化の観点から、好ましい。また、首掛け部材２および中棒１の材質としては、例えば、アルミニウム；ステンレススチール等の各種スチール；プラスチック等の材質を採用することができる。また、首掛け部材２は、首を保護するための緩衝部材（図示せず）で被覆することができる。緩衝部材は、例えば、布、織物、不織布、編物、フェルト、ソフトラバー等の各種の素材を用いて被覆することによって、形成することができる。さらに、中棒１および首掛け部材２の末端部に設けられる保護キャップの材質としては、例えば、ラバー、ゴム、プラスチック等をあげることができる。
【００１４】
図１において、両矢印の曲線で示したように、連結部材３によって、首掛け部材２の中棒1に対する回転角度位置を、あらゆる角度すなわち０°〜３６０°の範囲の任意の角度に調節して、固定することができる。図1の実線で示した首掛け部材２は、通常の使用時の角度位置であり、破線で示した首掛け部材２は、傘を身体に固定しない場合や、収納する場合の角度位置を示している。
【００１５】
中棒１には、図２に示すように、長さ調節可能な伸縮機構を設けることができる。例えば、カメラ等の三脚に用いられるレバー式、ロックナット式等の伸縮機構、物干し竿に用いられる引出式の伸縮機構等のスライドおよび固定できる伸縮機構を設けることにより、中棒１の長さを容易に調節することができる。中棒１の伸縮機構は、連結部材３の下部に設けることが好ましい。また、図２に示すように、首掛け部材２の連結部材３側の中間部に、長さ調節可能な伸縮機構を設けることができる。例えば、カメラ等の三脚に用いられるレバー式、ロックナット式等の伸縮機構、物干し竿に用いられる引出式の伸縮機構等のスライドおよび固定できる伸縮機構を設けることにより、首掛け部材２の長さを容易に調節することができる。
【００１６】
連結部材３は、中棒１と首掛け部材２とを回転可能に連結しており、中棒１および首掛け部材２を任意の角度位置に調節して固定する機能を有している。すなわち、連結部材３は、図３〜図５に示すように、中棒１が挿入され貫通している中棒固定部２１と、首掛け部材２の端部が挿入されると共に中棒固定部２１に圧接されている首掛け部材固定部２２と、中棒固定部２１、中棒１、首掛け部材固定部２２および首掛け部材２の端部を貫通するボルト２４と、ボルト２４に螺合させることにより中棒固定部２１に首掛け部材固定部２２を圧接させるためのノブナット２３とを有している。中棒１および首掛け部材２の端部には、それぞれボルト穴が形成されている。連結部材３は、このように構成されていることにより、ボルト２４とノブナット２３とによって、中棒固定部２１、中棒１、首掛け部材固定部２２および首掛け部材２を締結して、首掛け部材２を中棒１に対して所望の回転角度で調節および固定できるようにしている。ノブナット２３には、緩み止め等のために、座金（図示せず）をかませておくのが好ましい。また、連結部材３を構成する中棒固定部２１および首掛け部材固定部２２は、いずれも同径の円柱状の形状をしているのが好ましい。ボルト２４が、同径で円柱形状の中棒固定部２１および首掛け部材固定部２２の中心軸を貫通していることによって、中棒固定部２１および首掛け部材固定部２２の接合面を回転させても、摩擦系合面積が変化しないので、一定の摩擦系合力が発揮されるという利点が得られる。
【００１７】
ボルト２４と組み合わせたノブナット２３を、図３の両矢印の曲線で示すように、回すことによって、首掛け部材２を中棒１に対して所望の回転角度位置で調節および固定することができる。ノブナット２３には、ボルト２４と螺合するように、ネジ穴が設けられている。ノブナット２３を締めることによって、中棒１および首掛け部材２を貫通しているボルト２４が、中棒１および首掛け部材２を相対回動不能に堅固に固定することが分かる。また、逆に、ノブナット２３を弛めることによって、中棒固定部２１と首掛け部材固定部２２とが、これらの接合面で摺動して、首掛け部材２と中棒１との角度を、容易に所望の角度に調整できることがわかる。この角度調節の際、ノブナット２３をさらに弛めることによって、中棒固定部２１と首掛け部材固定部２２との接合面を離して、回転をさらに容易にすることもできる。このようにして、中棒固定部２１、首掛け部材固定部２２、ボルト２４およびノブナット２３によって、首掛け部材２と中棒１との角度の調節および固定機能が果たされている。
【００１８】
ここで、中棒固定部２１と首掛け部材固定部２２との接合面の一方に放射状に延びる断面山形の複数の凸条を設け、他方に前記凸条と嵌合する断面谷形の溝を放射状に設け、かつノブナット２３と首掛け部材固定部２２との間にバネを挟設し、そのバネ力によって中棒固定部２１に首掛け部材固定部２２を圧接させることによって、ワンタッチで首掛け部材２と中棒１との角度固定ができるようにすることもできる。また、接合面の一方に、放射状の凸条に代えて、冠歯車状の凹凸を設け、他方にこれと噛み合う凹凸を設けてもよい。
【００１９】
連結部材３を構成する中棒固定部２１および首掛け部材固定部２２の材質としては、例えば、プラスチック、木材、金属等があげられる。
【００２０】
胴ベルト４は、図６に示すように、中棒１の下端部に形成されたスリット状の貫通穴５に挿通されて取り付けられている。また、胴ベルト４には、雄側雌側一対のバックル６および７が設けられている。胴ベルトの材質としては、例えば、布、織物、不織布、編物、革、合成皮革等をあげることができる。また、雄側バックル６には、ベルト長さの調節機構が設けられているので、体格に合わせて、ベルト長さを容易に調節することができる。雌型バックル７に雄型バックル６を、矢印方向に嵌め込むことによって、容易に胴ベルト４を締めることができる。雄型バックルおよび雌型バックルは、いずれも、プラスチック製の成型品を用いることができる。なお、胴ベルト４に取り付けるバックルとしては、一対の雄型バックルと雌型バックルに限られるものではなく、通常のベルト穴で固定するタイプのもの等をいずれも使用することができる。
【００２１】
図１の傘の装着は、図７に示すように、首掛け部材２と中棒1との角度を、体格に合わせて適宜決定し、連結部材３で固定後、首掛け部材２を首に掛け、胴ベルト４を身体３１の腹回り乃至腰回りに巻きつけ、雄型雌型一対のバックル６と７を嵌め込むことによって容易に装着でき、これによって傘を安定してしっかりと身体に固定することができる。なお、図７では、身体３１の左側に、傘を装着しているが、連結部材３のボルト２４と組み合わせたノブナット２３を回して、首掛け部材２を中棒１に対して逆の回転角度位置に調節し固定することによって、身体３１の右側に傘を装着することもできる。また、傘の取り外しは、前記と逆の手順によって、容易に行うことができる。このように、本考案の傘の着脱は、首掛け部材を首に掛けて胴ベルトを締めるだけ、またはその逆を行うだけでよく、極めて簡単である。
【００２２】
本考案の傘は、傘を身体に固定する必要が無い場合には、図８に示すように、首掛け部材２を中棒１と平行な位置に、下向きに固定することによって、首掛け部材２を傘の手元として用いることができ、通常の傘と同様に用いることができる。また、この状態で傘を閉じれば、図９に示すように、通常の傘と同様に首掛け部材２を手元として持って携行することができる。このような場合には、図８および図９に示すように、胴ベルト４は折り畳んでおくことが好ましい。また、このような場合には、中棒および首掛け部材の長さを、長さ調節可能な伸縮機構によって適宜調節することができる。
【産業上の利用可能性】
【００２３】
本考案は、傘それ自体を手に持つことなく身体に固定でき、両手が自由な状態で、歩行や作業ができる固定部付き傘として利用することができる。
【符号の説明】
【００２４】
１  中棒
２  首掛け部材
３  連結部材
４  胴ベルト
５  スリット状の貫通穴
１１  傘本体
１３  傘布
１４  下ハジキ
２１  中棒固定部
２２  首掛け部材固定部
２３  ノブナット
２４  ボルト
【図１】
0003188314.tif 000003
【図２】
0003188314.tif 000004
【図３】
0003188314.tif 000005
【図４】
0003188314.tif 000006
【図５】
0003188314.tif 000007
【図６】
0003188314.tif 000008
【図７】
0003188314.tif 000009
【図８】
0003188314.tif 000010
【図９】
0003188314.tif 000011